(57)【要約】【課題】スイッチング装置の寿命を長くすることができるステータ通電加熱装置を提供する。【解決手段】モータのステータコイル１０のＵ相のコイル１０Ｕと、Ｖ相のコイル１０Ｖと、Ｗ相のコイル１０Ｗと、電源２０とを、それぞれ通電経路３０によって接続し、スイッチング装置４０によって通電経路３０のＯＮ又はＯＦＦを切り替え、ステータコイル１０のＵ相のコイル１０Ｕと、Ｖ相のコイル１０Ｖと、Ｗ相のコイル１０Ｗをそれぞれ交互に通電し、ステータコイル１０のＵ相のコイル１０Ｕと、Ｖ相のコイル１０Ｖと、Ｗ相のコイル１０Ｗのコイルを交互に加熱するステータ通電加熱装置１００であって、スイッチング装置４０は、半導体素子によって構成されている。【選択図】図１
2015136242.tif 000002
【特許請求の範囲】
【請求項１】
モータのステータコイルの各相のコイルと電源とを通電経路によって接続し、スイッチング装置によって該通電経路のＯＮ又はＯＦＦを切り替え、該各相のコイルをそれぞれ交互に通電し、該各相のコイルを交互に加熱するステータ通電加熱装置であって、
前記スイッチング装置は、半導体素子によって構成されている、
ステータ通電加熱装置。
【発明の詳細な説明】
【技術分野】
【０００１】
本発明は、モータのステータを通電して加熱するステータ通電加熱装置の技術に関する。
【背景技術】
【０００２】
ステータ（固定子）は、モータの構成部品の一つとして公知である。ステータは、ステータコアと、ステータコイルと、から構成されている。例えば、ハイブリッドカーに搭載されるモータでは、ステータコイルが走行中の振動に耐えられるように、ステータコイルにコイル固着剤が塗布される。
【０００３】
ステータコイルにコイル固着剤を塗布する際には、ステータコイルに塗布したコイル固着剤を硬化させるために、ステータコイルの温度を２００℃近くまで昇温する必要がある。従来、ステータコイルを昇温する方法として、ステータコイルを加熱炉内へ投入する、或いは、ステータコイルをＩＨ誘導加熱で加熱する等の加熱方法が公知である（例えば、特許文献１）。しかし、これらの加熱方法は、ステータコイルの温度が２００℃近くになるまで時間を要し、生産効率が悪かった。
【０００４】
そこで、近年では、直接ステータコイルに電流を流してステータコイルを加熱するステータ通電加熱方法が公知である。このようなステータ通電加熱方法において、中性点を持たないデルタ結線のモータ、或いは、構造上中性点に結線できないモータを加熱する場合には、各相のステータコイルをそれぞれ交互に通電し、各相のステータコイルを交互に加熱する必要がある。
【０００５】
図３を用いて、上述した各相のコイルをそれぞれ交互に通電し加熱するステータ通電加熱装置５００（以下、従来のステータ通電加熱装置５００）の構成について説明する。
なお、図３では、従来のステータ通電加熱装置５００の構成を電気回路図によって表している。
【０００６】
従来のステータ通電加熱装置５００は、例えば、デルタ結線のモータのステータコイル５１０において、Ｕ相のコイル５１０Ｕと、Ｖ相のコイル５１０Ｖと、Ｗ相のコイル５１０Ｗと、をそれぞれ交互に通電し加熱する装置である。
【０００７】
従来のステータ通電加熱装置５００は、電源５２０と、通電経路５３０と、スイッチング装置５４０と、を具備している。
【０００８】
電源５２０は、ステータコイル５１０のＵ相のコイル５１０Ｕと、Ｖ相のコイル５１０Ｖと、Ｗ相のコイル５１０Ｗと、にそれぞれ電流を供給する電源である。
【０００９】
通電経路５３０は、通電経路５３０Ｕと、通電経路５３０Ｖと、通電経路５３０Ｗと、から構成されている。通電経路５３０Ｕは、電源５２０から供給される電流をステータコイル５１０のＵ相のコイル５１０Ｕに導く経路である。通電経路５３０Ｖは、電源５２０から供給される電流をステータコイル５１０のＶ相のコイル５１０Ｖに導く経路である。通電経路５３０Ｗは、電源５２０から供給される電流をステータコイル５１０のＷ相のコイル５１０Ｗに導く経路である。
【００１０】
スイッチング装置５４０は、スイッチング装置５４０Ｕと、スイッチング装置５４０Ｖと、スイッチング装置５４０Ｗと、から構成されている。スイッチング装置５４０Ｕは、通電経路５３０Ｕによる通電の接続又は遮断（ＯＮ又はＯＦＦ）を切り替える装置である。スイッチング装置５４０Ｖは、通電経路５３０Ｖによる通電の接続又は遮断（ＯＮ又はＯＦＦ）を切り替える装置である。スイッチング装置５４０Ｗは、通電経路５３０Ｗによる通電の接続又は遮断（ＯＮ又はＯＦＦ）を切り替える装置である。
【００１１】
なお、スイッチング装置５４０（スイッチング装置５４０Ｕ、スイッチング装置５４０及びスイッチング装置５４０Ｗ）は、機械式のスイッチであるマグネットリレーで構成されている。
【００１２】
図４を用いて、従来のステータ通電加熱装置５００の作用について説明する。
なお、図４では、従来のステータ通電加熱装置５００の作用をグラフ図によって表している。また、図４のグラフ図では、横軸で時系列を表し、縦軸でステータコイル５１０のＵ相のコイル５１０Ｕ、Ｖ相のコイル５１０Ｖ及びＷ相のコイル５１０Ｗに流れる電流を表している。
【００１３】
図４に示すように、スイッチング装置５４０Ｕ、スイッチング装置５４０又はスイッチング装置５４０Ｗを交互に切換え、電源５２０から供給される電流を、ステータコイル５１０のＵ相のコイル５１０Ｕ、Ｖ相のコイル５１０Ｖ又はＷ相のコイル５１０Ｗに交互に供給することで、ステータコイル５１０のＵ相のコイル５１０Ｕ、Ｖ相のコイル５１０Ｖ及びＷ相のコイル５１０Ｗが交互に通電され、ステータコイル５１０のＵ相のコイル５１０Ｕ、Ｖ相のコイル５１０Ｖ及びＷ相のコイル５１０Ｗが交互に加熱される。
【００１４】
しかし、従来のステータ通電加熱装置５００のスイッチング装置５４０（スイッチング装置５４０Ｕ、スイッチング装置５４０Ｖ及びスイッチング装置５４０Ｗ）では、大電流を機械的にＯＮ／ＯＦＦしているとともに、機械的なＯＮ／ＯＦＦが頻繁に行われるため、電極部の摩耗や溶着によって装置の寿命が短いものとなっていた。
【先行技術文献】
【特許文献】
【００１５】
【特許文献１】特開２００８−０７２８２５号公報
【発明の概要】
【発明が解決しようとする課題】
【００１６】
本発明の解決しようとする課題は、スイッチング装置の寿命を長くすることができるステータ通電加熱装置を提供することである。
【課題を解決するための手段】
【００１７】
本発明の解決しようとする課題は以上の如くであり、次にこの課題を解決するための手段を説明する。
【００１８】
即ち、請求項１においては、モータのステータコイルの各相のコイルと電源とを通電経路によって接続し、スイッチング装置によって該通電経路のＯＮ又はＯＦＦを切り替え、該各相のコイルをそれぞれ交互に通電し、該各相のコイルを交互に加熱するステータ通電加熱装置であって、前記スイッチング装置は、半導体素子によって構成されているものである。
【発明の効果】
【００１９】
本発明のステータ通電加熱装置によれば、スイッチング装置の寿命を長くすることができる。
【図面の簡単な説明】
【００２０】
【図１】ステータ通電加熱装置の構成を示す電気回路図。
【図２】ステータ通電加熱装置の作用を示すグラフ図。
【図３】従来のステータ通電加熱装置の構成を示す電気回路図。
【図４】従来のステータ通電加熱装置の作用を示すグラフ図。
【発明を実施するための形態】
【００２１】
図１を用いて、ステータ通電加熱装置１００の構成について説明する。
なお、図１では、ステータ通電加熱装置１００の構成を電気回路図によって表している。
【００２２】
ステータ通電加熱装置１００は、本発明のステータ通電加熱装置に係る実施形態である。本実施形態のステータ通電加熱装置１００は、デルタ結線のモータのステータコイル５１０において、Ｕ相のコイル１０Ｕと、Ｖ相のコイル１０Ｖと、Ｗ相のコイル１０Ｗと、をそれぞれ交互に通電し加熱する装置である。
【００２３】
本実施形態のステータ通電加熱装置１００は、デルタ結線のモータのステータコイル５１０の各相を交互に通電し加熱する装置としたが、これに限定されない。例えば、スター結線のモータのステータコイルであって、中性点が構造上結線できないもの（例えば、中性点が絶縁されているもの）であっても、本実施形態と同様の作用効果を奏する。
【００２４】
ステータ通電加熱装置１００は、電源２０と、通電経路３０と、スイッチング装置４０と、を具備している。
【００２５】
電源２０は、ステータコイル１０のＵ相のコイル１０Ｕと、Ｖ相のコイル１０Ｖと、Ｗ相のコイル１０Ｗと、にそれぞれ電流を供給する電源である。
【００２６】
通電経路３０は、通電経路３０Ｕと、通電経路３０Ｖと、通電経路３０Ｗと、から構成されている。通電経路３０Ｕは、電源２０から供給される電流をステータコイル１０のＵ相のコイル１０Ｕに導く経路である。通電経路３０Ｖは、電源２０から供給される電流をステータコイル１０のＶ相のコイル１０Ｖに導く経路である。通電経路３０Ｗは、電源２０から供給される電流をステータコイル１０のＷ相のコイル１０Ｗに導く経路である。
【００２７】
スイッチング装置４０は、スイッチング装置４０Ｕと、スイッチング装置４０Ｖと、スイッチング装置４０Ｗと、から構成されている。スイッチング装置４０Ｕは、通電経路３０Ｕによる通電の接続又は遮断（ＯＮ又はＯＦＦ）を切り替える装置である。スイッチング装置４０Ｖは、通電経路３０Ｖによる通電の接続又は遮断（ＯＮ又はＯＦＦ）を切り替える装置である。スイッチング装置４０Ｗは、通電経路３０Ｗによる通電の接続又は遮断（ＯＮ又はＯＦＦ）を切り替える装置である。
【００２８】
ここで、特記すべき事項として、スイッチング装置４０（スイッチング装置４０Ｕ、スイッチング装置４０Ｖ及びスイッチング装置４０Ｗ）は、半導体素子（トランジスタ）によるスイッチング作用が使用されている。本実施形態のトランジスタは、絶縁ゲートバイポーラトランジスタ（ＩＧＢＴ（Ｉｎｓｕｌａｔｅｄ  Ｇａｔｅ  Ｂｉｐｏｌａｒ  Ｔｒａｎｓｉｓｔｏｒ）とされている。
【００２９】
本実施形態のトランジスタは、ＩＧＢＴとされているが、これに限定されない。例えば、ソリッドステート・リレー（ＳＳＲ（Ｓｏｌｉｄ  Ｓｔａｔｅ  Ｒｅｌａｙ）又はサイリスタ等であっても良い。
【００３０】
図２を用いて、ステータ通電加熱装置１００の作用について説明する。
なお、図２では、ステータ通電加熱装置１００の作用をグラフ図によって表している。また、図２のグラフ図では、横軸で時系列を表し、縦軸でステータコイル１０のＵ相のコイル１０Ｕ、Ｖ相のコイル１０Ｖ及びＷ相のコイル１０Ｗに流れる電流を表している。
【００３１】
図２に示すように、スイッチング装置４０Ｕ、スイッチング装置４０又はスイッチング装置４０ＷのＯＮ・ＯＦＦを交互に切換え、電源２０から供給される電流を、ステータコイル１０のＵ相のコイル１０Ｕ、Ｖ相のコイル１０Ｖ又はＷ相のコイル１０Ｗに交互に供給することで、ステータコイル１０のＵ相のコイル１０Ｕ、Ｖ相のコイル１０Ｖ及びＷ相のコイル１０Ｗが交互に通電され、ステータコイル１０のＵ相のコイル１０Ｕ、Ｖ相のコイル１０Ｖ及びＷ相のコイル１０Ｗが交互に加熱される。
【００３２】
ステータ通電加熱装置１００の効果について説明する。
ステータ通電加熱装置１００によれば、スイッチング装置の寿命を長くすることができる。
【００３３】
すなわち、従来の機械式のスイッチであるマグネットリレーで構成されるスイッチング装置５４０を具備する従来のステータ通電加熱装置５００では、電極部の摩耗や溶着によって装置の寿命が短いものとなっていた。
【００３４】
しかし、本実施形態のトランジスタが使用されているスイッチング装置４０では、部品の劣化が極めて小さいため、スイッチング装置４０の寿命を長くすることができる。
【００３５】
また、本実施形態のトランジスタが使用されているスイッチング装置４０は、従来の機械式のスイッチであるマグネットリレーで構成されるスイッチング装置５４０と比較して、装置の定期交換が不要であって、保全費用が低減できる。
【００３６】
さらに、本実施形態のトランジスタが使用されているスイッチング装置４０は、従来の機械式のスイッチであるマグネットリレーで構成されるスイッチング装置５４０と比較して、故障時に修理・交換を容易に行うことができる。
【符号の説明】
【００３７】
１０        ステータコイル
１０Ｕ      Ｕ相のコイル
１０Ｖ      Ｖ相のコイル
１０Ｗ      Ｗ相のコイル
２０        電源
３０Ｕ      通電経路（Ｕ相）
３０Ｕ      通電経路（Ｖ相）
３０Ｕ      通電経路（Ｗ相）
４０        スイッチング装置
４０Ｕ      スイッチング装置（Ｕ相）
４０Ｕ      スイッチング装置（Ｖ相）
４０Ｕ      スイッチング装置（Ｗ相）
【図１】
2015136242.tif 000003
【図２】
2015136242.tif 000004
【図３】
2015136242.tif 000005
【図４】
2015136242.tif 000006